(57)【要約】【課題】かご床における床仕上げ材の厚みが変化した場合に、前側板の下部をかご床に合わせて支持する。【解決手段】乗りかごの前面に前側板が配置されたエレベータ装置は、前記乗りかごの下部に配置されたかご側ベースと前記乗りかごの前面に配置され、前記かご側ベースの上部に取り付けられたかご敷居受け枠と、前記かご敷居受け枠に隣接して、前記かご側ベースの上部に取り付けられた床枠と、前記かご敷居受け枠の上部に取り付けられたかご敷居と、前記床枠の上部に配置された床下地と、前記床下地の上部に配置された床仕上げ材と、前記床枠の上面の前記床下地及び前記床仕上げ材を除く部分に配置されたブラケットと、を備え、前記ブラケットは、前記かご敷居の上面及び前記床仕上げ材の上面との高さを合わせて配置され、前記前側板は、前記ブラケットの上面に取り付けられる。【選択図】図３
2016040190.tif 000002
【特許請求の範囲】
【請求項１】
乗りかごの前面に前側板が配置されたエレベータ装置であって、
前記乗りかごの下部に配置されたかご側ベースと、
前記乗りかごの前面に配置され、前記かご側ベースの上部に取り付けられたかご敷居受け枠と、
前記かご敷居受け枠に隣接して、前記かご側ベースの上部に取り付けられた床枠と、
前記かご敷居受け枠の上部に取り付けられたかご敷居と、
前記床枠の上部に配置された床下地と、
前記床下地の上部に配置された床仕上げ材と、
前記床枠の上面の前記床下地及び前記床仕上げ材を除く部分に配置されたブラケットと、
を備え、
前記ブラケットは、前記かご敷居の上面及び前記床仕上げ材の上面との高さを合わせて配置され、
前記前側板は、前記ブラケットの上面に取り付けられる
ことを特徴とする、エレベータ装置。
【請求項２】
前記ブラケットは垂直部と水平部からなるＬ字状に形成され、
前記ブラケットの垂直部は前記かご敷居の前記乗りかごの床側に固定され、
前記ブラケットの水平部の高さが前記かご敷居の上面及び前記床仕上げ材の上面との高さと合うように配置される
ことを特徴とする、請求項１に記載のエレベータ装置。
【請求項３】
前記かご敷居受け枠の下部に敷居受け調整ライナを配置し、
前記床仕上げ材の厚みに応じて前記敷居受け調整ライナの高さを変更して、前記ブラケットの水平部の高さが前記かご敷居の上面及び前記床仕上げ材の上面との高さと合うように配置される
ことを特徴とする、請求項２に記載のエレベータ装置。
【請求項４】
前記ブラケットは、垂直部と前記垂直部の上下に水平部を有し、
前記ブラケットの下方の水平部は前記床枠下方の折り返し部に積層され、
前記ブラケットの上方の水平部の高さが前記かご敷居の上面及び前記床仕上げ材の上面との高さと合うように配置される
ことを特徴とする、請求項１に記載のエレベータ装置。
【請求項５】
前記かご敷居受け枠及び前記ブラケットの下方の水平部の下部に跨って敷居受け調整ライナを配置し、
前記床仕上げ材の厚みに応じて前記敷居受け調整ライナの高さを変更して、前記ブラケットの水平部の高さが前記かご敷居の上面及び前記床仕上げ材の上面との高さと合うように配置される
ことを特徴とする、請求項４に記載のエレベータ装置。
【発明の詳細な説明】
【技術分野】
【０００１】
本発明は、エレベータ装置に関し、乗りかごの前面に前側板を配置したエレベータ装置に適用して好適なるものである。
【背景技術】
【０００２】
従来から、エレベータの乗りかごの前面に側板を配置することが行われている。例えば、特許文献１では、床部とかご敷居本体との間の意匠性の低下を防止するとともに、かご敷居本体の上面と床部の敷物の上面との段差によって乗客が転倒することを防止することができるエレベータの敷居装置が開示されている。該エレベータの敷居装置には、床部と敷居本体との問に着脱可能に配置される段差緩和部材を備えられ、段差緩和部材は、床部と敷居本体との問に段差緩和部材を螺着させるためのねじ部に対向して設けられた長穴と、長穴を通してねじ部にねじを締め付けることにより、ねじの頭部の外周面が圧接される受皿状傾斜部とを備えた構成が示されている。
【０００３】
また、特許文献２には、中間側板の長さ寸法を、天井板から床枠までの長さ寸法より所定寸法だけ短く設定するとともに、中間側板を除く他の側板を天井板、床枠および隣接側板に固定した後、中間側板を嵌め込み、かつ、ジャッキボルトを床枠の下方から螺進させ中間側板を天井板方向に押し上げて固定し、中間側板と床枠間の間隙にライナを挿入し、前側板も中間側板と同様に構成したエレベータの敷居装置が示されている。
【先行技術文献】
【特許文献】
【０００４】
【特許文献１】特開２０１１−１１８６４号公報
【特許文献２】特開２００４−１９６４８８号公報
【発明の概要】
【発明が解決しようとする課題】
【０００５】
しかし、特許文献１に記載されたエレベータ装置では、乗りかごの敷居と床面との間に設けた段差緩和部材を水平に配置したり、斜めに配置したりして、段差を緩和する構成であったため、段差緩和部材が斜めになった場合には、乗客の足下に違和感を与えてしまう。また、かご床における床仕上げ材の厚みが比較的大きく変化した場合には、段差緩和部材の傾斜が大きくなって危険性が増す。また、特許文献２に記載されたエレベータ装置では、前側板の上端部の高さを調整するもので、かご床における床仕上げ材の変化により厚みが変化した場合に対応できる構成とはなっていない。
【０００６】
本発明は以上の点を考慮してなされたもので、かご床における床仕上げ材の厚みが変化した場合に、前側板の下部をかご床に合わせて支持するエレベータ装置を提供することにある。
【課題を解決するための手段】
【０００７】
かかる課題を解決するために本発明においては、乗りかごの前面に前側板が配置されたエレベータ装置であって、前記乗りかごの下部に配置されたかご側ベースと前記乗りかごの前面に配置され、前記かご側ベースの上部に取り付けられたかご敷居受け枠と、前記かご敷居受け枠に隣接して、前記かご側ベースの上部に取り付けられた床枠と、前記かご敷居受け枠の上部に取り付けられたかご敷居と、前記床枠の上部に配置された床下地と、前記床下地の上部に配置された床仕上げ材と、前記床枠の上面の前記床下地及び前記床仕上げ材を除く部分に配置されたブラケットと、を備え、前記ブラケットは、前記かご敷居の上面及び前記床仕上げ材の上面との高さを合わせて配置され、前記前側板は、前記ブラケットの上面に取り付けられることを特徴とする、エレベータ装置が提供される。
【発明の効果】
【０００８】
本発明によれば、かご床における床仕上げ材の厚みが変化した場合でも、前側板の下部をかご床に合わせて支持することができる。
【図面の簡単な説明】
【０００９】
【図１】本発明の第１の実施形態に係るエレベータ装置のかご床部分を示す斜視図である。
【図２】同実施形態にかかる薄型仕上げ材を使用したときのエレベータ装置のかご床部分を示す側面図である。
【図３】同実施形態にかかる厚型仕上げ材を使用したときのエレベータ装置のかご床部分を示す側面図である。
【図４】本発明の第２の実施形態に係るエレベータ装置のかご床部分を示す側面図である。
【図５】同実施形態にかかる厚型床仕上げ材を使用したときのエレベータ装置のかご床部分を示す側面図である。
【発明を実施するための形態】
【００１０】
以下図面について、本発明の一実施の形態を詳述する。
【００１１】
（１）第１の実施の形態
まず、図１を参照して、本実施の形態にかかるエレベータ装置のかご床について説明する。図１は、本実施形態にかかるエレベータ装置のかご床部分を示す斜視図である。
【００１２】
図１に示すように、乗りかごの下部に配置したかご側ベース１には、乗りかごの出入口側にかご敷居受け枠２が取り付けられる。そして、かご側ベース１のかご敷居受け枠２に隣接して床枠３が取り付けられる。図１に示すように、床枠３は、かご敷居受け枠２よりも図示の右側に設けられ、かご敷居受け枠２の高さよりも高い枠で構成される。
【００１３】
また、かご敷居受け枠２の上部には、かご敷居４が固定されている。かご敷居４の床側には、その水平部分をかご敷居４の上面と合わせて配置したＬ字状のブラケット８が固定されている。
【００１４】
このブラケット８は、かご敷居４の長手方向に形成した受け段部９に垂直部分を搭載して位置決めされている。ブラケット８の垂直部分の長さは、ブラケット８をかご敷居４に形成した受け段部９上に載せて配置した状態で、その水平部分の上面が、かご敷居４の上面と合う長さとなっている。また、ブラケット８は、所定距離を隔てて、かご敷居４の名が手方向に一対配置されている。
【００１５】
床枠３の上部には、床下地５と薄型タイプ床仕上げ材６とが積層された床が配置されている。床下地５及び薄型タイプ床仕上げ材６は、各ブラケット８の下方に相当する部分が除かれて、一対のブラケット８の対向部分に配置される凸型の形状となっている。
【００１６】
上記したように、乗りかごの出入口側を凸型にした床下地５及び薄型タイプ床仕上げ材６を床枠３の上部に配置すると、薄型タイプ床仕上げ材６の上面と、ブラケット８の水平部分の上面と、かご敷居４の上面とが、ほぼ同じ高さとなる。
【００１７】
従来は、床枠３にブラケット８に相当する構造物を載せていたが、本実施の形態では、ブラケット８を床枠３の上面に載せる構造とはしていない。このような構造とすることにより、薄型タイプ床仕上げ材６を、後述する厚型タイプ床仕上げ材に変更したとしても、後述する敷居受け調整ライナ１１を用いるだけで、容易に、床仕上げ材の上面と、ブラケット８の水平部分の上面と、かご敷居４の上面とをほぼ同じ高さとすることができる。
【００１８】
図２は、厚みＨ１の薄型タイプ床仕上げ材６を使用したエレベータ装置のかご床部分を示す側面である。
【００１９】
図２に示すように、かご敷居受け枠２の上部にはかご敷居４が取り付けられ、かご敷居４の床側には、Ｌ字状のブラケット８が固定されている。ブラケット８における水平部分の上面は、かご敷居４の上面と同じ高さである。
【００２０】
また、床枠３の上部は、床下地５と薄型タイプ床仕上げ材６が積層された床で構成されている。薄型タイプ床仕上げ材６は、高さＨ１の薄型タイプであり、薄型タイプ床仕上げ材６の上面とかご敷居４の上面とを合わせるために、かご敷居受け枠２の高さなどが決められている。
【００２１】
かご敷居４の乗りかご側の側部には、受け段部９が形成される。受け段部９からかご敷居４の上面までの高さと、ブラケット８の垂直部分の高さが同じ高さとなるように構成されている。したがって、受け段部９にブラケット８の垂直部分を立てた状態で両者を結合すると、常に、かご敷居４の上面と、ブラケット８の水平部分における上面とが同じレベルとなり、両者間の調整作業は不要となる。
【００２２】
本実施の形態では、図１に示したようにかご敷居４の長手方向のほぼ中央部に出口が形成される方式の乗りかごを例示している。このため、この出口を除く両側に一対のブラケット８が取り付けられている。
【００２３】
乗りかごの組み立てが完了した状態では、乗りかごを構成する側板のうち、出口の両側に位置することになる前側板７が、両ブラケット８に搭載されて固定される。
【００２４】
このように、かご敷居４とブラケット８との一体化部分を標準ユニットとして使用して、乗りかごの床が構成される。このとき、図２に示すように、薄型タイプ床仕上げ材６の上面と、ブラケット８の上面と、かご敷居４の上面とがほぼ同じ高さとなる。したがって、乗りかごと乗り場との間を移動する乗客は、足下をとられることなく、円滑かつ安全に移動することができる。
【００２５】
また、従来の床枠３の上面に前側板７を固定した場合と比較すると、調整作業が容易となる。すなわち、床枠３の上面に前側板７を固定する従来の方式では、薄型タイプ床仕上げ材６を使用した場合でも、床枠３の上面側に薄型のライナを挿入して薄型タイプ床仕上げ材６の上面との高さを合わせるための調整作業を行う必要がある。
【００２６】
しかし、本実施の形態では、このような調整作業が不要となる。すなわち、上記したように、常にかご敷居４の上面とブラケット８の水平部分の上面とが同じレベルとなるように一体化されているため調整作業が不要となり、薄型タイプ床仕上げ材６の上面と、ブラケット８の上面と、かご敷居４の上面とをほぼ同じ高さとすることができる。
【００２７】
次に、図３を参照して、上記した標準ユニットを使用して、薄型タイプ床仕上げ材６を厚型タイプ床仕上げ材１０に変更した乗りかごについて説明する。
【００２８】
図３は、厚みＨ２の厚型タイプ床仕上げ材１０を使用したエレベータ装置のかご床部分を示す側面図である。
【００２９】
単純に、厚みがＨ２である厚型タイプ床仕上げ材１０を点線で示した薄型タイプ床仕上げ材６に変えて敷くとする。この場合、床仕上げ材の厚みの増加分（Ｈ２−Ｈ１）に相当する分だけ厚型タイプ床仕上げ材１０の上面が、図２に示したブラケット８の上面及び図２に示したかご敷居４の上面より高くなってしまう。そこで、図３に示すようにかご敷居４の高さを調整するため、かご敷居４の下部の構成の一部を調整する。
【００３０】
図３に示すように、先ず、厚さがＨ２の厚型タイプ床仕上げ材１０に変更する際に、増加分（Ｈ２−Ｈ１）に相当する厚みを有する敷居受け調整ライナ１１を使用する。敷居受け調整ライナ１１は、薄いライナを積層したものでなくブロック状のもの一つとするのが望ましい。敷居受け調整ライナ１１は、かご側ベース１とかご敷居受け枠２間に介在している。
【００３１】
このように、敷居受け調整ライナ１１をかご敷居受け枠２の上に積層すると、かご敷居４の上面を、増加分（Ｈ２−Ｈ１）に相当する分だけ上げることとなる。これにより、かご敷居４の上面と厚型タイプ床仕上げ材１０の上面との高さとが合致する。
【００３２】
また、かご敷居４と一体化されているブラケット８も増加分（Ｈ２−Ｈ１）に相当する分だけ高さ方向に移動するため、ブラケット８の水平部分の上面が、かご敷居４の上面および厚型タイプ床仕上げ材１０の上面に一致する。
【００３３】
このように、図２に示した薄型タイプ床仕上げ材６を、図３に示した厚さＨ２の厚型タイプ床仕上げ材１０に変更する際に、敷居受け調整ライナ１１を追加するだけで、厚型タイプ床仕上げ材１０の上面と、ブラケット８の上面と、かご敷居４の上面とをほぼ同じ高さにすることができる。
【００３４】
このとき、かご敷居４とブラケット８とは一体化された標準ユニットとなっているため、かご敷居４の上面とブラケット８の上面とを合わせる調整作業を行う必要がない。また、敷居受け調整ライナ１１をブロック状のものとしているので、敷居受け調整ライナ１１の追加によって厚型タイプ床仕上げ材１０上面と、かご敷居４の上面とブラケット１２の上面とを容易に合わせることができる。
【００３５】
特に、床枠３の上面側に前側板７を固定した場合と比較すると、調整作業が容易となる。すなわち、床枠３の上面側に前側板７を固定した従来の方式では、薄型タイプ床仕上げ材６を使用した場合でも、床枠３の上面側に薄型のライナを挿入して薄型タイプ床仕上げ材６の上面との高さを合わせるための調整作業を行う必要がある。
【００３６】
上記した厚型タイプ床仕上げ材１０の使用によって、厚型タイプ床仕上げ材１０の上面よりもブラケット８の水平部分の上面が相対的に低くなってしまうので、ブラケット８の水平部分の上面と前側板７間に調整用の薄型ライナをさらに多く配置して、再度、高さ調整をしなければならない。
【００３７】
しかし、本実施の形態では、この調整作業が不要となる。すなわち、上記したように、常にかご敷居４の上面とブラケット８の水平部分の上面とが同じレベルとなるように一体化され、敷居受け調整ライナ１１の追加をするだけで、調整作業をせずとも、薄型タイプ床仕上げ材６の上面と、ブラケット８の上面と、かご敷居４の上面とがほぼ同じ高さとなる。
【００３８】
このように、厚型タイプ床仕上げ材１０を使用したタイプでも、厚型タイプ床仕上げ材１０の上面と、かご敷居４の上面と、ブラケット８の上面とを合わせることができるので、乗りかごと乗り場の間を移動する乗客は、足下をとられることなく、円滑にかつ安全に移動することができる。
【００３９】
（２）第２の実施の形態
図４は、本発明の第２の実施の形態におけるエレベータ装置のかご床部分を示す側面図である。
【００４０】
図４では、薄型タイプ床仕上げ材６を使用している。前側板７は、その下部に配置したブラケット１２によって支持されている。このブラケット１２は、垂直部分と、その垂直部分の上下にそれぞれ形成した水平部分を有している。
【００４１】
また、床枠３には、前側板７の下方部に切り欠き部１３が形成されており、この切り欠き部１３を利用してブラケット１２の下部を挿入している。ブラケット１２の下部は、床枠３の折り返し部１４上に載せられた後、重なった部分がボルトなどによって固定されて、床枠３にブラケット１２が結合される。本実施の形態では、先の実施の形態と同様に、ブラケット１２は床枠３の上面に固定されていない。
【００４２】
また、詳細については後述するが、ブラケット１２を配置した床枠３の近傍には、開口部１５が予め形成されている。かご側ベース１とかご敷居受け枠２との間には、常時設置される常置調整板１６が配置されており、常置調整板１６とかご敷居受け枠２とを合わせた高さが、先の実施の形態におけるかご敷居受け枠２の高さと同じとなる。したがって、常置調整板１６の上面と、床枠３における折り返し部１４の上面とが同じレベルとなる。
【００４３】
上記したように、本実施形態でも、薄型タイプ床仕上げ材６の上面と、ブラケット８の上面と、かご敷居４の上面とがほぼ同じ高さとなる。したがって、乗りかごと乗り場との間を移動する乗客は、足下をとられることなく円滑に、かつ安全に移動することができる。
【００４４】
また、床枠３の上面側に前側板７を固定した場合と比較すると、調整作業が容易となる。すなわち、床枠３の上面側に前側板７を固定した従来の方式では、薄型タイプ床仕上げ材６を使用した場合でも、床枠３の上面側に薄型のライナを挿入して薄型タイプ床仕上げ材６の上面との高さを合わせるために調整作業を行う必要がある。
【００４５】
しかし、本実施の形態では、上記したように、ブラケット１２の水平部分の上面と前側板７間に調整用の薄型ライナを配置する調整作業が不要となる。
【００４６】
次に、図４に示した基本構成を変えずに、図５を参照して、薄型タイプ仕上げ材６を厚型タイプ床仕上げ材１０に変更した場合について説明する。
【００４７】
図５は、本実施の形態における厚型タイプの床仕上げ材１０を使用したエレベータ装置のかご床部分を示す側面図である。
【００４８】
先ず、厚型タイプの床仕上げ材１０に変更したとき、先の実施の形態で示した増加分（Ｈ２−Ｈ１）に相当する厚みを有する敷居受け調整ライナ１７を準備し、この敷居受け調整ライナ１７を常置調整板１６とかご敷居受け枠２間に介在させる。
【００４９】
このとき、床枠３の折り返し部１４とブラケット１２との間の連結を一旦解き、敷居受け調整ライナ１７の挿入側先端を、図４に示した開口部１５から床枠３側へ挿入して、床枠３の折り返し部１４とブラケット１２の下面間に介在させる。その後、ブラケット１２の下部と、床枠３の折り返し部１４と、敷居受け調整ライナ１７の床枠側の挿入側先端部との重ね部分をボルトなどによって固定する。
【００５０】
この敷居受け調整ライナ１７の追加によって、かご敷居４の上面は増加分（Ｈ２−Ｈ１）に相当する分だけ上がる。また、ブラケット１２も増加分（Ｈ２−Ｈ１）に相当する分だけ全体的に高さ方向に移動する。このため、ブラケット８の上部水平部分の上面が、かご敷居４の上面および厚型タイプ床仕上げ材１０の上面に合致する。
【００５１】
このように、図４に示した薄型タイプ床仕上げ材６を、図５に示した厚さがＨ２の厚型タイプ床仕上げ材１０に変更するとき、敷居受け調整ライナ１７を追加するだけで、厚型タイプ床仕上げ材１０の上面と、ブラケット１２の上面と、かご敷居４の上面とをほぼ同じ高さにすることができる。
【００５２】
このとき、敷居受け調整ライナ１７をブロック状のものとしている。この敷居受け調整ライナ１７を追加することによって、厚型タイプ床仕上げ材１０上面と、かご敷居４の上面とブラケット１２の上面とを容易に合わせることができる。
【００５３】
本実施の形態によっても、先の実施の形態と同様に、前側板７を床枠３の上面側に固定した場合と比較すると、調整作業が簡単になる。厚型タイプ床仕上げ材１０の使用によって、厚型タイプ床仕上げ材１０の上面よりもブラケット１２の水平部分の上面が相対的に低くなってしまうので、ブラケット１２の水平部分の上面と前側板７間に調整用の薄型ライナをさらに多く配置する従来の方式に比べて、調整作業が容易となる。
【００５４】
（３）その他の実施の形態
尚、本発明は、上記した実施の形態に限定されるものではなく、様々な変形例が含まれる。例えば、図５に示した敷居受け調整ライナ１７から床枠側調整ライナを分離して、分離した床枠側調整ライナをブラケット１２の上面に取り付けても同様の効果を得ることができる。また、前側板７は、乗りかごの出入口の一方側だけに配置した構成にも適用することができる。
【符号の説明】
【００５５】
２    かご敷居受け枠
３    床枠
４    かご敷居
５    床下地
６    薄型床仕上げ材
７    前側板
８    ブラケット
９    受け段部
１０  厚型床仕上げ材
１１  敷居受け調整ライナ
１２  ブラケット
１７  敷居受け調整ライナ
【図１】
2016040190.tif 000003
【図２】
2016040190.tif 000004
【図３】
2016040190.tif 000005
【図４】
2016040190.tif 000006
【図５】
2016040190.tif 000007